(57)【要約】【課題】本体筐体の形状の複雑化，装置全体のサイズの大型化を防止することが可能な空気調和機の室外機を提供すること。【解決手段】本体筐体Ｘ１の側面のうち，室外空気と熱交換が行われ排気が行われる側の側面（排気面３ｃ）の背面（排気背面３ｄ）に，前記本体筐体Ｘ１の内側と外側とを連通させる連通孔が設けられた取手部４ａを設ける。また，配線をその取手部４ａにおける前記連通孔より前記本体筐体の内部へと引き込み，該内部に設けられた端子板８と接続する。つまり，取手部４ａに配線の引き込み口の役割を兼用させる。【選択図】図５
2007101025.tif 000002
【特許請求の範囲】
【請求項１】
本体筐体の側面に設けられ該本体筐体の持ち上げ操作時に手を掛けることのできる１又は複数の取手部を有してなる空気調和機の室外機であって，
少なくとも１つの前記取手部に，前記本体筐体内側と外部とを連通させる連通孔が設けられてなることを特徴とする空気調和機の室外機。
【請求項２】
前記取手部が，前記本体筐体の側面のうち排気が行われる側面とその背面とに一対に設けられてなる請求項１に記載の空気調和機の室外機。
【請求項３】
前記連通孔が設けられた取手部が，前記本体筐体の側面のうち排気が行われる側面の背面に設けられてなる請求項１又は２のいずれかに記載の空気調和機の室外機。
【請求項４】
前記連通孔が設けられた取手部が，前記本体筐体の側面における下辺側付近に設けられてなる請求項１〜３のいずれかに記載の空気調和機の室外機。
【請求項５】
前記取手部が手を挿入することのできる凹部を有するものであり，前記連通孔が前記凹部の入り口と併せて前記本体筐体の外側と内側とを連通させるものである請求項１〜４のいずれかに記載の空気調和機の室外機。
【請求項６】
前記凹部の入口の形成範囲のうちの最も高い位置よりも高い位置に前記連通孔が形成されてなる請求項５に記載の空気調和機の室外機。
【請求項７】
本体筐体の側面に設けられ該本体筐体の持ち上げ操作時に手を掛けることのできる一又は複数の取手部を有してなる空気調和機の室外機であって，
少なくとも一つの前記取手部に，他の部分よりも薄肉に形成された部分，周囲が他の部分よりも薄肉に形成された部分，他の部分よりも軟性の材料で形成された部分，周囲を間欠的な切り込みに囲まれた部分のいずれかであって，その一部若しくは全部が除去された場合に前記本体筐体内側と外側とを連通させる連通孔が形成される部分である除去対象部が設けられてなることを特徴とする空気調和機の室外機。
【請求項８】
前記取手部が，前記本体筐体の側面に取り付けられる独立した部材により構成されてなる請求項１〜７のいずれかに記載の空気調和機の室外機。
【発明の詳細な説明】
【技術分野】
【０００１】
本発明は，空気調和機の室外機に関するものであり，該室外機の持ち上げ操作時に手を掛けることのできる取手部を有する空気調和機の室外機に関するものである。
【背景技術】
【０００２】
空気調和機は，室内において室内空気と熱交換を行う室内機と，室外において室外空気と熱交換を行う室外機とを有しており，前記室内機と前記室外機とで冷凍サイクル機関を構成して稼働する。前記室外機は，通常その稼働前に例えば建造物の外壁近く等の位置に据え付けられるものであり，その据え付けに伴う前記室外機の持ち上げ操作を容易にするために取手部が設けられている（例えば，特許文献１）。また，据え付けの際に前記室外機の本体筐体の外部から配線が内部へと引き込まれ，該内部に設けられた例えば配線基板，端子板などに接続される。前記室外機はそのように配線を引き込んだ状態で熱機関として稼働する。
図１は，特許文献１等に記載の，従来例に係る空気調和機の室外機の斜視図，図２は従来例に係る空気調和機の室外機の具備する端子板カバーを兼ねる兼用取手部の正面図，図３は従来例に係る空気調和機の室外機の部分断面図（図２の破線ｘ−ｘ’に対する断面図）である。以下，図１〜図３を参照しつつ，従来例に係る空気調和機の室外機について説明する。
【０００３】
図１に示されるように，従来例に係る空気調和機の室外機Ｂ（以下，単に室外機Ｂという）は，本体筐体Ｙ１の内部に種々の電気配線及び回路，圧縮機，キャピラリチューブもしくは膨張弁，ファン，該ファンを駆動するモータ，熱交換器，冷媒管，前記熱交換器において生じるドレン水の水受皿（全て不図示）等を有して概略構成される。
前記本体筐体Ｙ１は，後述の端子板１（図３参照）を覆う端子板カバー２を側面３ａ側に具備する。また，図２に示されるように，前記端子板カバー２には凹部αを有する取手部４ｂが設けられている。
また，前記本体筐体Ｙ１の側面のうち前記側面３ａの背面（図１では陰になる面）３ｂにも，前記端子板カバー２の取手部４ｂと一対に不図示の取手部が設けられている。作業者は，それらの取手部に手を掛けつつ（凹部αに手を挿入しつつ），前記室外機Ｂの据え付けに伴う運搬を行う。
【０００４】
前記端子板カバー２は，図２に示される如く，ビス５により前記本体筐体Ｘ１に固定されている。前記ビス５を取り外すことにより，前記端子板カバー２が前記本体筐体Ｙ１から取り外し可能な状態になる。
図３に示される如く，前記室外機Ｂの内部における前記端子板カバー２の対向箇所には，前記電気配線の一部である端子板１が設けられている。前記室外機Ｂの据え付け時には，前記端子板カバー２を取り外した状態で前記本体筐体Ｙ１の外部から導かれた配線６が前記端子板１に接続され，その状態で再び前記端子板カバー２が前記本体筐体Ｙ１に取り付けられる。
前記端子板カバー２の下部には傘部７が設けられており，該傘部７により形成される空間７ａにより前記本体筐体Ｙ１の内部と外部とが連通される。前記配線６は，前記端子板カバー２が前記本体筐体Ｙ１に取り付けられた状態であっても，前記空間７ａを通じて外部より内部に導かれ，前記端子板１に接続される。
【特許文献１】特開平５−１５７２９１号公報
【発明の開示】
【発明が解決しようとする課題】
【０００５】
しかしながら，上述したような従来例の構成では，取手部４ｂとは別に前記配線を引き込むための引き込み口となる空間７ａ（端子板カバー２の傘部７）を設けなければならず，端子板カバー２の形状，ひいてはそれが取り付けられる本体筐体Ｙ１の形状を複雑にするという問題点がある。
また，端子板カバー２のような構成を用いずに，本体筐体Ｙ１に直接取手部４ｂと引き込み口とを形成する場合であっても，前記本体筐体Ｙ１の形状が複雑になるという問題は同様である。
また，前記本体筐体Ｙ１については前記取手部４と前記空間７ａとを各々設けるだけの広い領域を要するので，装置全体が大型化するという問題点もある。
従って，本発明は上記事情に鑑みてなされたものであり，その目的とするところは，本体筐体の形状の複雑化，装置全体のサイズの大型化を防止することが可能な空気調和機の室外機を提供することにある。
【課題を解決するための手段】
【０００６】
上記目的を達成するために本発明は，本体筐体の側面に設けられ該本体筐体の持ち上げ操作時に手を掛けることのできる取手部を有し，その取手部の一つ以上に前記本体筐体内側と外側とを連通させる連通孔が設けられてなることを特徴とする空気調和機の室外機である。
このように，前記取手部に前記連通孔が設けられているので，前記配線を該連通孔を通じて前記本体筐体の内部に引き込むことが可能である。つまり，前記取手部と前記配線の引き込み口とを同一の構成とすることが可能であり，それらを別に設けた場合の前記本体筐体の形状の複雑化，前記本体筐体の大型化などが防止される。以下，連通孔が設けられている取手部を連通取手部という。
ここで，前記取手部は前記本体筐体の側面のうち，熱交換された空気が排気される面（以下，排気面）側及びその背面（以下，排気背面）側等に一対に設けられてなるのが，運搬時の安定性の観点からは最も望ましいと考えられる。
また，配線を引き込む前記連通取手部は前記排気背面側に設けられるのが望ましい。というのも，通常，前記排気背面側が建造物の壁等に対向するように前記本体筐体の据え付けがなされる。従って，前記連通取手部を前記排気背面側に設けた場合には，前記連通取手部へと導かれる配線が前記本体筐体の陰になるので，据え付け後の室外機の美観を損なうことがない。
また，地面を這って設置される配線を前記本体筐体の内部に導く場合には，前記連通取手部を前記本体筐体の側面のうちできるだけ下方（側面の下辺付近）に設けるのが望ましい。これにより，前記本体筐体の周りで前記配線が露出している箇所が少なくなることから，室外機の美観を損なわないのはもちろん，配線の断線の可能性なども押さえることが可能である。
【０００７】
ここで，前記取手部としては，本体筐体の持ち上げ操作時に手を挿入することのできる凹部を有するものであり，前記連通孔が前記凹部の入り口と併せて前記本体筐体の内側と外側とを連通させることが考えられる。更に，前記連通孔を前記凹部の入り口の形成範囲のうちの最も高い位置よりも高い位置に設けた場合，例えば降雨等により水が前記本体筐体の内部に侵入するのを防止することが可能である。
更に，本発明は，前記取手部に前記連通孔を簡単に形成することが可能な除去対象部が設けられたものとして捉えたものであってもよい。前記除去対象部としては，周囲よりも薄肉に形成された部分，周囲が薄肉に形成された部分，他の部分よりも軟性の材料で形成された部分，周囲が軟性の材料で形成された部分，周囲を間欠的な切り込みで囲まれた部分等が考えられる。
また，前記取手部が前記本体筐体から取り外し可能な独立の部材とすることも可能である。その場合，連通孔が形成された取手部のみ室外機とは別売り販売することができ，有益である。
【発明の効果】
【０００８】
本発明によれば，取手部に連通孔が設けられているので，前記配線を該連通孔を通じて前記本体筐体の内部に引き込むことが可能である。つまり，前記取手部と前記配線の引き込み口とを同一の構成とすることが可能であり，それらを別に設けた場合の前記本体筐体の形状の複雑化，前記本体筐体の大型化などが防止される。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は従来例に係る空気調和機の室外機の斜視図，図２は従来例に係る空気調和機の室外機の具備する端子板カバーを兼ねる兼用取手部の正面図，図３は従来例に係る空気調和機の室外機の部分断面図，図４は本発明の実施形態に係る空気調和機の室外機の正面（排気面）からの斜視図，図５は本発明の実施形態に係る空気調和機の室外機の背面（排気背面）からの斜視図，図６は本発明の実施形態に係る空気調和機の室外機が有する特徴的な取手部の正面の斜視図，図７は本発明の実施形態に係る空気調和機の室外機が有する特徴的な取手部の断面斜視図，図８は本発明の実施形態に係る空気調和機の室外機のフロントパネル部を取り外した状態における斜視図，図９は本発明の実施例に係る空気調和機の室外機が有する特徴的な取手部の正面の斜視図である。尚，従来例と同様の構成については従来例と同様の符号を付すものとする。
【００１０】
以下，図４，図５を参照しつつ，本発明の実施形態に係る空気調和機の室外機について説明する。
この実施形態に係る空気調和機の室外機Ａ（以下，単に室外機Ａという）は，図８に示すように本体筐体Ｘ１の内部に端子板８，圧縮機９，膨張弁１０，冷媒管１１，及び不図示のファン，該ファンを駆動するモータ，熱交換器，前記熱交換器において生じるドレン水の水受皿等を有して概略構成される。また，前記本体筐体Ｘ１には排気口１２が設けられており，前記熱交換器により冷媒と熱交換された室外空気が，前記ファンの回転駆動に伴って前記排気口１２より排気される。以下，前記本体筐体Ｘ１の側面のうち，前記排気口１２が設けられており排気が行われる面を排気面３ｃと，前記側面のうち該排気面３ｃの背面を排気背面３ｄと，それぞれ呼ぶことにする。
【００１１】
前記室外機Ａは建造物の室外に据え付けられた状態で稼働されるものであり，据え付けに伴う前記本体筐体Ｘ１の持ち上げ操作時に手を掛けることの出来る２つ（１又は複数の一例）の取手部４を有する。そのような取手部４は前記排気面３ｃとその背面である前記排気背面３ｄとに一対に設けられている。本実施形態に係る空気調和機の室外機Ａは，前記複数の取手部のうちの前記排気背面３ｄに設けられた取手部４において，従来例とは異なる（即ち，前記排気背面３ｄに設けられた取手部が特徴部である）ものである。以下，前記排気背面３ｄに設けられており本実施形態で特徴的な取手部４を取手部４ａといい，前記排気面３ｃに設けられた従来例と同様の取手部４ｂとは区別する。
尚，前記本体筐体Ｘ１の側面のうちの一部（主に前記排気面３ｃ）に，手動操作で取り外しが可能なフロントパネル部１３が，前記取手部４ｂの位置を中心に設けられている。
【００１２】
図６は本発明の実施形態に係る空気調和機の室外機が有する特徴的な取手部４ａの正面の斜視図，図７は本発明の実施形態に係る空気調和機の室外機が有する特徴的な取手部４ａの断面斜視図である。以下，図６及び図７を参照しつつ，本実施形態で特徴的な取手部４ａについて詳しく説明する。
図６及び図７に示されるように，前記取手部４ａは，手を挿入することの出来る凹部αを有している。また，前記取手部４ａには，前記凹部αの入り口と直列的に前記本体筐体Ｘ１の内部と外部とを連通させる連通孔βが設けられている。
前記室外機Ａは外部から配線６（図１，図８等参照）を内部へと引き込み，前記端子板８（図８参照）に接続した状態で熱機関として稼働するものであり，このような前記配線６の引き込みは，前記取手部４ａに設けられた前記連通孔βを介して行うことが可能である（図５参照）。
尚，図７に示される如く，前記連通孔βは，前記凹部αの入り口の形成範囲の最も高い位置よりも更に高い位置に形成されており，この形状により例えば降雨等により水分が前記本体筐体Ｘ１の内部へ侵入するのを防止することが可能である。（後述のように，前記室外機Ａの据え付け後には前記連通孔βはパテ埋めなどを行うことも考えられるが，必ずしもその措置による防水が完全でないことを考慮している。）
【００１３】
図８は，本発明の実施形態に係る空気調和機の室外機の内部を示す斜視図である。以下，図４，図５，図８を参照しつつ，前記室外機Ａの内部に対する配線６の引き込み及び端子板８への取り付けについて説明する。
図４に示される如く，前述のように，前記本体筐体Ｘ１の側面のうち前記排気面３ｃに設けられた前記取手部４ｂの周辺部分には，手動操作で取り外しが可能なフロントパネル部１３が設けられている。前記配線６の引き込みの際には，前記フロントパネル部１３を取り外し，図８に示されるように前記室外機Ａの内部が露出した状態にすると，操作範囲が広がり，便利である。
この状態では，前記本体筐体Ｘ１の開放箇所から手を挿入すれば，前記連通孔βが設けられた前記取手部４ａに手が届くようになり，前記連通孔βから前記配線６を前記本体筐体Ｘ１の内部に引っ張り込むことが可能である。また，前記本体筐体Ｘ１の内部には，前記フロントパネル部１３を取り外したときの開放箇所に対向するように，前記配線６の接続対象である端子板８が設けられている。前記連通孔βより引っ張り込まれた前記配線を前記端子板８に接続させると，前記室外機Ａの稼働が可能となる。その後，再び前記フロントパネル部１３が前記本体筐体Ｘ１に取り付けられ，また，前記取手部４ａにおける前記連通孔βにはパテ埋めなどが施される。
以上，本実施形態によれば，前記配線６を前記取手部４ａに設けられた連通孔βを通じて前記本体筐体Ｘ１の内部に引き込むことが可能である。つまり，運搬操作時に手を掛けるための取手部自体に前記配線６の引き込み口を形成することが可能であり，それらを別に設けた場合に比較して前記本体筐体Ｘ１の形状の複雑化，前記本体筐体Ｘ１の大型化などが防止される。具体的には，従来例にあった空間７ａへの雨滴防止のための傘部７と取手部４ａのカバー４ｄ（図７参照）とを兼用することができ，部品点数を減じることができる。また改めて，前記空間７ａを設ける必要がないので，外観をスッキリさせることが可能である。また、工事手順を考慮すると、室外機を所定の場所に設置するために前記取手部を使用して室外機を運搬し、その後配管や配線処理を行うのが通常であり、据付後に取手部から配線が飛び出していても据付後は取手部を使用することはないので、何ら差し支えない。また、引越しや室外機の場所の移動を行う場合でも、通常配管や配線を外してから室外機の運搬を行うので、飛び出した配線が邪魔をすることはない。
【実施例】
【００１４】
上述の実施形態では，取手部に最初から連通孔βが設けられている例について開示したが，本発明はこれに限られるものではない。即ち，連通孔βの形成対象部（容易な加工により連通孔βを形成することが可能な部位）である除去対象部を設けた取手部を具備するような空気調和機の室外機も考えられる。
例えば，図９に示される取手部４ｃでは，前記連通孔βを形成する対象となる除去対象部γの周囲が，ミシン目状の切れ込み（間欠的な切れ込みの一例）に取り囲まれている。そのような切れ込みに沿ってカッターナイフ等で前記除去対象部γの周囲を切断することにより，簡単に前記除去対象部を除去することが可能であり，簡単に上述の実施形態で示すような前記連通孔β（図７参照）を形成することができる。
尚，前記除去対象部としては，間欠的な切れ込みが周囲に形成された部分以外にも，周囲を薄肉部に取り囲まれた部分，周囲を軟質の部材に取り囲まれた部分等が考えられる。更に，周囲よりも薄肉に形成された部分，周囲よりも軟質の部材で形成された部分等も考えられる。前記除去対象部は全てを除去しなければならないものではなく，配線６を通すのに必要な広さが確保出来るのであれば，その一部分を除去しても良い。
【００１５】
前記連通孔βが設けられた前記取手部４ａは，前記本体筐体のどの部分に設けても良いが，室外機の美観を損なわないためには，やはり実施形態のように通常建物の外壁に対向すると考えられる排気背面３ｄ（室外空気の排気を行う排気口が設けられた側面の背面）に設けるのが望ましいと考えられる。
また，地面を這って設置される前記配線を前記本体筐体の内部に引き込む場合には，前記連通孔βが設けられた取手部４ａは，特に図示はしないが前記本体筐体の側面のうち下辺の近傍位置に設けておくのが望ましい。これにより，前記本体筐体の周りで前記配線が露出している箇所が少なくなることから，室外機の美観を損なわないのはもちろん，配線の断線の可能性なども押さえることが可能である。
一方，建造物の壁に沿って垂れて室外機に導かれる配線を，前記本体筐体の内部に引き込む場合には，前記取手部４ａは前記本体筐体の側面のうちの上辺近傍位置に設けておくのが望ましい。
また，前記取手部は室外機の本体筐体とは独立した部材であり，前記本体筐体の側面に取り外しが可能なものであってもよい。
【図面の簡単な説明】
【００１６】
【図１】従来例に係る空気調和機の室外機の斜視図。
【図２】従来例に係る空気調和機の室外機の具備する端子板カバーを兼ねる兼用取手部の正面図。
【図３】従来例に係る空気調和機の室外機の部分断面図。
【図４】本発明の実施形態に係る空気調和機の室外機の正面（排気面）からの斜視図。
【図５】本発明の実施形態に係る空気調和機の室外機の背面（排気背面）からの斜視図。
【図６】本発明の実施形態に係る空気調和機の室外機が有する特徴的な取手部の正面の斜視図。
【図７】本発明の実施形態に係る空気調和機の室外機が有する特徴的な取手部の断面斜視図。
【図８】本発明の実施形態に係る空気調和機の室外機のフロントパネル部を取り外した状態における斜視図。
【図９】本発明の実施例に係る空気調和機の室外機が有する特徴的な取手部の正面の斜視図。
【符号の説明】
【００１７】
Ａ…本発明の実施形態に係る空気調和機の室外機
Ｂ…従来例に係る空気調和機の室外機
Ｘ１…室外機Ａの本体筐体
Ｙ１…室外機Ｂの本体筐体
α…凹部
β…連通孔
γ…除去対象部
１…端子板
２…端子板カバー
３ａ，３ｂ…側面
３ｃ…側面のうちの排気面
３ｄ…排気背面
４ａ…連通孔が設けられた取手部
４ｂ…取手部
５…ビス
６…配線
７…傘部
７ａ…空間
８…端子板
９…圧縮機
１０…膨張弁
１１…冷媒管
１２…排気口
１３…フロントパネル部
【図１】
2007101025.tif 000003
【図２】
2007101025.tif 000004
【図３】
2007101025.tif 000005
【図４】
2007101025.tif 000006
【図５】
2007101025.tif 000007
【図６】
2007101025.tif 000008
【図７】
2007101025.tif 000009
【図８】
2007101025.tif 000010
【図９】
2007101025.tif 000011